(57)【要約】【課題】良好な光変調波形を得つつ、高温動作化及び低消費電力化を図ることができる光モジュールを得る。【解決手段】本発明に係る光モジュールは、ステムと、ステムの表面に形成された凸部と、凸部上に搭載された光半導体素子と、ステムと絶縁され、ステムを貫通して設けられた給電用端子と、凸部上に搭載された第１の誘電体基板と、第１の誘電体基板上に形成され、光半導体素子と給電用端子の一端とを接続する第１の信号線と、ステムの裏面に形成された第２の誘電体基板と、第２の誘電体基板上に形成され、給電用端子の他端に接続された第２の信号線とを有し、第２の信号線の電気長は２３．０〜３６．２ｍｍであり、第２の信号線のインピーダンスは２１．５〜２４．５Ωである。【選択図】図１
2008130619.tif 000002
【特許請求の範囲】
【請求項１】
ステムと、
前記ステムの表面に形成された凸部と、
前記凸部上に搭載された光半導体素子と、
前記ステムと絶縁され、前記ステムを貫通して設けられた給電用端子と、
前記凸部上に搭載された第１の誘電体基板と、
前記第１の誘電体基板上に形成され、前記光半導体素子と前記給電用端子の一端とを接続する第１の信号線と、
前記ステムの裏面に形成された第２の誘電体基板と、
前記第２の誘電体基板上に形成され、前記給電用端子の他端に接続された第２の信号線とを有し、
前記第２の信号線の電気長は２３．０〜３６．２ｍｍであり、前記第２の信号線のインピーダンスは２１．５〜２４．５Ωであることを特徴とする光モジュール。
【請求項２】
前記光半導体素子の抵抗は５〜１０Ωであることを特徴とする請求項１に記載の光モジュール。
【発明の詳細な説明】
【技術分野】
【０００１】
本発明は、光通信に用いられる光半導体素子を搭載した光モジュールに関し、特に良好な光変調波形を得つつ、高温動作化及び低消費電力化を図ることができる光モジュールに関するものである。
【背景技術】
【０００２】
光半導体素子を搭載した光モジュールが光通信に用いられている。この光モジュールに、伝送速度が１０Ｇｂｐｓ以上の高周波信号を伝送すると、ステムと光半導体素子との間でインピーダンス不整合により反射が生じ、伝送特性が悪化する。そこで、従来の光モジュールでは、光半導体素子の近傍にインピーダンス整合用の抵抗体を挿入し、伝送特性を改善していた（例えば、特許文献１〜３参照）。
【０００３】
【特許文献１】特開２００６−１２８５４５号公報
【特許文献２】特開２００３−３７３２９号公報
【特許文献３】特開２００３−３３２６６７号公報
【発明の開示】
【発明が解決しようとする課題】
【０００４】
しかし、従来の光モジュールでは、抵抗体を挿入していたため、高温動作化や低消費電力化に不利であった。
【０００５】
本発明は、上述のような課題を解決するためになされたもので、その目的は、良好な光変調波形を得つつ、高温動作化及び低消費電力化を図ることができる光モジュールを得るものである。
【課題を解決するための手段】
【０００６】
本発明に係る光モジュールは、ステムと、ステムの表面に形成された凸部と、凸部上に搭載された光半導体素子と、ステムと絶縁され、ステムを貫通して設けられた給電用端子と、凸部上に搭載された第１の誘電体基板と、第１の誘電体基板上に形成され、光半導体素子と給電用端子の一端とを接続する第１の信号線と、ステムの裏面に形成された第２の誘電体基板と、第２の誘電体基板上に形成され、給電用端子の他端に接続された第２の信号線とを有し、第２の信号線の電気長は２３．０〜３６．２ｍｍであり、第２の信号線のインピーダンスは２１．５〜２４．５Ωである。本発明のその他の特徴は以下に明らかにする。
【発明の効果】
【０００７】
本発明により、インピーダンス整合を取るために抵抗体を挿入しなくても、通過特性を改善することができる。従って、良好な光変調波形を得つつ、高温動作化及び低消費電力化を図ることができる。
【発明を実施するための最良の形態】
【０００８】
図１は、本発明の実施の形態に係る光モジュールを前方から見た斜視図であり、図２は後方から見た斜視図である。
【０００９】
ステム１の表面に半円柱状の凸部２が形成されている。凸部２上に光半導体素子３及び誘電体基板４，５，６（第１の誘電体基板）が搭載されている。信号線７，８（第１の信号線）は誘電体基板４上に形成され、互いに接続されている。信号線９，１０は誘電体基板５上に形成され、互いに離間している。信号線１１，１２（第１の信号線）は誘電体基板６上に形成され、互いに接続されている。
【００１０】
ＧＮＤに接続された導体層１３がステム１の裏面に接続され、導体層１３の裏面に誘電体基板１４（第２の誘電体基板）が形成されている。リードピン１５，１６（給電用端子）はステム１及び導体層１３を貫通して設けられている。ただし、リードピン１５，１６は、ステム１との間にそれぞれ形成された誘電体１７，１８によりステム１と絶縁されている。
【００１１】
光半導体素子３の一端は信号線１０に接続され、他端はワイヤ１９により信号線９に接続されている。信号線８と信号線９はワイヤ２０により接続され、信号線１０と信号線１２はワイヤ２１により接続されている。リードピン１５の他端と信号線７は半田２２により接続され、リードピン１６の一端と信号線１１は半田２３により接続されている。即ち、信号線８，１２は、それぞれリードピン１５，１６の一端と光半導体素子３とを接続する。
【００１２】
誘電体基板１４上に、信号線２４，２５が形成されている。リードピン１５の他端と信号線２５は半田２６により接続され、リードピン１６の他端と信号線２４は半田２７により接続され、ステム１とリードピン２８は半田２９により接続されている。
【００１３】
ここで、誘電体１７，１８はガラスからなり、リードピン１５，１６は銅などの金属からなり、誘電体基板４，５，６はアルミナからなり、誘電体基板１４はポリイミドからなる。信号線７，９，１０，１１，２４，２５，８，１２は、厚みが０．００１ｍｍの金属膜であり、例えば銅箔である。信号線７，１１は、長さが０．２ｍｍ、幅が０．７ｍｍである。信号線９は、長さが０．３ｍｍ、インピーダンスが２５Ωである。信号線１０は、長さが０．７ｍｍ、インピーダンスが２５Ωである。信号線８，１２は、長さが１．０ｍｍ、インピーダンスが４２Ωである。リードピン１６が誘電体１８で覆われた部分のインピーダンスが２５Ωである。
【００１４】
高周波信号は、信号線２４からリードピン１６、信号線１１，１２、光半導体素子３、信号線７，８、リードピン１５、信号線２５を経由して伝送される。ここで、信号線２４、リードピン１６及び信号線１０，１１，１２のインピーダンスは２５Ω程度であるのに対し、ワイヤ２１のインダクタ成分と光半導体素子３の抵抗は５〜１０Ω程度である。このため、信号線２４の端、又は信号線２５から光半導体素子３間でインピーダンスの不整合が生じ、伝送速度が１０Ｇｂｐｓ以上の高周波信号を伝送する場合、光変調波形に歪みが生じる。
【００１５】
そこで、本実施の形態では、信号線２４，２５のインピーダンスを２１．５〜２４．５Ω、電気長を２３．０〜３６．２ｍｍとしている。これにより、インピーダンスの整合を取るために抵抗体を挿入しなくても、通過特性が改善し、良好な光変調波形を得ることができる。これについて以下に詳細に説明する。
【００１６】
まず、信号線８，１２のインピーダンスを４２Ωに固定し、信号線２４，２５の線路長を１３．４ｍｍに固定して、第２の信号線である信号線２４，２５のインピーダンスを変えて実験を行った。図３は、信号線２４，２５のインピーダンスを２０Ωとした場合の通過特性を示す図であり、図４はその場合の光変調波形を示す図である。図５は、信号線２４，２５のインピーダンスを２１．５Ωとした場合の通過特性を示す図であり、図６はその場合の光変調波形を示す図である。図７は、信号線２４，２５のインピーダンスを２４．５Ωとした場合の通過特性を示す図であり、図８はその場合の光変調波形を示す図である。図９は、信号線２４，２５のインピーダンスを２６Ωとした場合の通過特性を示す図であり、図１０はその場合の光変調波形を示す図である。この実験結果から、信号線２４，２５のインピーダンスを２１．５〜２４．５Ωとした場合に、通過特性の平坦性が増し、通過特性が改善することが分かる。また、この場合に、アイパターンが良くなり、良好な光変調波形を得ることができることが分かる。
【００１７】
次に、信号線８，１２のインピーダンスを４２Ωに固定し、信号線２４，２５のインピーダンスを２３Ωに固定して、第２の信号線である信号線２４，２５の線路長（電気長）を変えてシミュレーションを行った。図１１は、信号線２４，２５の線路長を９．１ｍｍ（電気長１７．３ｍｍ）とした場合の通過特性を示す図であり、図１２はその場合の光変調波形を示す図である。図１３は、信号線２４，２５の線路長を１２．１ｍｍ（電気長２３．０ｍｍ）とした場合の通過特性を示す図であり、図１４はその場合の光変調波形を示す図である。図１５は、信号線２４，２５の線路長を１９．１ｍｍ（電気長３６．２ｍｍ）とした場合の通過特性を示す図であり、図１６はその場合の光変調波形を示す図である。図１７は、信号線２４，２５の線路長を２９．９ｍｍ（電気長５６．７ｍｍ）とした場合の通過特性を示す図であり、図１８はその場合の光変調波形を示す図である。このシミュレーション結果から、信号線２４，２５の電気長を２３．０〜３６．２ｍｍとした場合に、通過特性が改善し、良好な光変調波形を得ることができることが分かる。
【００１８】
ここで、信号線２４，２５のインピーダンスと電気長を制御することの意味について説明する。まず、反射周波数は数式１で説明することができる。
【００１９】
【数１】
2008130619.tif 000003
ただし、ｆは反射周波数、Ｌ１，Ｌ２・・・Ｌｎは各部材の長さ、εｒ１，εｒ２・・・εｒｎは各部材の誘電率である。従って、信号線２４，２５の電気長を制御することにより、信号線２４，２５の端と光半導体素子３間における反射周波数が制御される。そして、信号線２４，２５のインピーダンスを制御することにより、その反射周波数における反射の絶対量を制御することができ、これによって通過特性が制御される。
【００２０】
図１９は、信号線２４，２５の電気長と反射周波数との関係を示す図であり、図２０は、信号線２４，２５の線路長と反射周波数との関係を示す図である。上記のように信号線２４，２５の電気長を２３．０〜３６．２ｍｍとした場合は、反射周波数は１．５〜２ＧＨｚとなる。従って、１．５〜２ＧＨｚにおける通過特性を制御することができ、その影響は２倍、３倍の周波数位置にも及ぶ。
【００２１】
以上説明したように、本実施の形態によれば、インピーダンス整合を取るために抵抗体を挿入しなくても、通過特性を改善することができる。従って、良好な光変調波形を得つつ、高温動作化及び低消費電力化を図ることができる。
【図面の簡単な説明】
【００２２】
【図１】本発明の実施の形態に係る光モジュールを前方から見た斜視図である。
【図２】本発明の実施の形態に係る光モジュールを後方から見た斜視図である。
【図３】第２の信号線のインピーダンスを２０Ωとした場合の通過特性を示す図である。
【図４】第２の信号線のインピーダンスを２０Ωとした場合の光変調波形を示す図である。
【図５】第２の信号線のインピーダンスを２１．５Ωとした場合の通過特性を示す図である。
【図６】第２の信号線のインピーダンスを２１．５Ωとした場合の光変調波形を示す図である。
【図７】第２の信号線のインピーダンスを２４．５Ωとした場合の通過特性を示す図である。
【図８】第２の信号線のインピーダンスを２４．５Ωとした場合の光変調波形を示す図である。
【図９】第２の信号線のインピーダンスを２６Ωとした場合の通過特性を示す図である。
【図１０】第２の信号線のインピーダンスを２６Ωとした場合の光変調波形を示す図である。
【図１１】第２の信号線の線路長を９．１ｍｍ（電気長１７．３ｍｍ）とした場合の通過特性を示す図である。
【図１２】第２の信号線の線路長を９．１ｍｍ（電気長１７．３ｍｍ）とした場合の光変調波形を示す図である。
【図１３】第２の信号線の線路長を１２．１ｍｍ（電気長２３．０ｍｍ）とした場合の通過特性を示す図である。
【図１４】第２の信号線の線路長を１２．１ｍｍ（電気長２３．０ｍｍ）とした場合の光変調波形を示す図である。
【図１５】第２の信号線の線路長を１９．１ｍｍ（電気長３６．２ｍｍ）とした場合の通過特性を示す図である。
【図１６】第２の信号線の線路長を１９．１ｍｍ（電気長３６．２ｍｍ）とした場合の光変調波形を示す図である。
【図１７】第２の信号線の線路長を２９．９ｍｍ（電気長５６．７ｍｍ）とした場合の通過特性を示す図である。
【図１８】第２の信号線の線路長を２９．９ｍｍ（電気長５６．７ｍｍ）とした場合の光変調波形を示す図である。
【図１９】第２の信号線の電気長と反射周波数との関係を示す図である。
【図２０】第２の信号線の線路長と反射周波数との関係を示す図である。
【符号の説明】
【００２３】
１  ステム
２  凸部
３  光半導体素子
４，５，６  誘電体基板（第１の誘電体基板）
８，１２  信号線（第１の信号線）
１４  誘電体基板（第２の誘電体基板）
１５，１６  リードピン（給電用端子）
２４，２５  信号線（第２の信号線）
【図１】
2008130619.tif 000004
【図２】
2008130619.tif 000005
【図３】
2008130619.tif 000006
【図４】
2008130619.tif 000007
【図５】
2008130619.tif 000008
【図６】
2008130619.tif 000009
【図７】
2008130619.tif 000010
【図８】
2008130619.tif 000011
【図９】
2008130619.tif 000012
【図１０】
2008130619.tif 000013
【図１１】
2008130619.tif 000014
【図１２】
2008130619.tif 000015
【図１３】
2008130619.tif 000016
【図１４】
2008130619.tif 000017
【図１５】
2008130619.tif 000018
【図１６】
2008130619.tif 000019
【図１７】
2008130619.tif 000020
【図１８】
2008130619.tif 000021
【図１９】
2008130619.tif 000022
【図２０】
2008130619.tif 000023